(57)【特許請求の範囲】
【請求項１】
線材を菱形に編み込んで作られた菱形金網を柵に使用した侵入防止用フェンスにおいて、
菱形金網の上辺部に、線材を捻って先端を二股形状に開いたツイストナックルが形成されており、該ツイストナックルの直下位置の左右の菱形網目と分離された菱形網目がそれぞれ当該菱形金網の網面に対して直角な向きに捻られており、前記直角な向きの菱形網目に胴縁が通され、該胴縁の両端部が支柱に支持されていることを特徴とする、侵入防止用フェンス。
【請求項２】
菱形金網の下辺部に、線材を捻って先端を二股形状に開いたツイストナックルが地面にほぼ接近する長さに形成されており、該ツイストナックルの直上位置の左右の菱形網目と分離された菱形網目がそれぞれ当該菱形金網の網面に対して直角な向きに捻られており、前記直角な向きの菱形網目に胴縁が通され、該胴縁の両端部が支柱に支持されていることを特徴とする、請求項１に記載した侵入防止用フェンス。
【請求項３】
胴縁が丸パイプ又は角パイプであることを特徴とする、請求項１又は２に記載した侵入防止用フェンス。
【請求項４】
支柱の上部であって菱形金網の上辺より上方の部分に複数本の有刺鉄線を水平方向に取り付けた忍び返しが形成されていることを特徴とする、請求項１又は２に記載した侵入防止用フェンス。
【発明の詳細な説明】
【技術分野】
【０００１】
この発明は、線材を菱形に編み込んで作られた菱形金網を柵に使用したフェンスであって、侵入者がフェンスを破ったり、フェンスの上を乗り越えて侵入することを防ぎ、また、猫や犬、ネズミ、イタチ、モグラなどの小動物がフェンスの下を潜って侵入することをも防ぐ、侵入防止用フェンスの技術分野に属する。
【背景技術】
【０００２】
他人が敷地内に無断で立ち入ることを防止する侵入防止用フェンスは、現在、多種多様な構造形式のものが広く設置され実用に供されている。通例は図５、図６に例示したように、いわゆる菱形金網１を柵に使用し、その上辺部及び下辺部に骨線５を通し、左右の支柱２、２間に支持された胴縁３へ一定のピッチで複数取り付けた支持金具４により前記の骨線５を引張り状態に支持させた構成の実施例が多い。胴縁３には通例丸パイプが使用されるが、アングルを使用した実施例も多い。図７と図８は、丸パイプによる胴縁３と支持金具４及び骨線５による菱形金網１の支持構造の詳細を示している。図示した従来技術の場合は、多数の支持金具４…を使用すると共に、ボルト６とナット７を締結して骨線５を支持させる作業が必要であり、手間とコストが多くかかるという問題点がある。
【０００３】
次に、下記の特許文献１に開示されたフェンスは、やはり柵に菱形金網を使用したものであるが、菱形金網の上辺部に、線材を捻って先端を二股形状に開いた、いわゆるツイストナックルが形成され、その直下の菱形網目に、同網目を側面方向に見て認められる網厚（図４Ｂ中の符号Ｓを参照）を利用してフラットバー形状の胴縁を通し支持させた構成である。したがって、上記の支持金具４が無用となり、ボルト６、ナット７を締結して骨線５を支持させる作業も無用の構成である。下記の特許文献２には、菱形金網の上辺部、下辺部に前記ツイストナックルを形成したものが開示されている。
特許文献３に開示された侵入防止用フェンスは、ツイストナックルが形成され、その直下の菱形網目に、やはり側面方向に見て認められる網厚（図４ＢのＳ寸法を参照）を利用して骨線を通し菱形金網が支持された構成である。
特許文献４には、やはり菱形金網が柵に使用され、フェンスの上部が外側へ弓形に傾斜した、いわゆる忍び返しを備えたセキュリティフェンスが開示されている。
【０００４】
【特許文献１】実開昭５４−１５８４５０号公報
【特許文献２】実開昭５５−１１６７３７号公報
【特許文献３】特開平１０−１９３０２１号公報
【特許文献４】特公平６−７４６７８号公報
【発明の開示】
【発明が解決しようとする課題】
【０００５】
上記特許文献１に開示されたフェンスは、図５、図７に例示した従来技術の支持金具４が無用であり、ボルトとナットを締結して骨線を支持させる作業も無用なボルトレスの構成であり、胴縁を菱形金網上辺の網目に通すだけで支持できるから、施工性にも優れる。しかもツイストナックルの存在が、侵入者が乗り越える際の手掛かりの場を制限し、侵入防止の効果を高めることも認められる。
しかし、胴縁に使用可能なフラットバーの断面の大きさは、前記網厚の制限を受けるため、せいぜい幅寸が５ｍｍ、縦寸が２０ｍｍ程度に小さく、構造的に弱いものに限定されてしまう。従って、人の侵入防止用の構造材としては甚だ頼りなく物足りないので安心はできない。例えば手軽な金属切断機で切ったり曲げたりすることが容易である。その結果、無断の侵入者がフェンスを破って侵入することを許し易く、或いは侵入後に前記破った箇所を修復して元の形状に戻すことも容易で、侵入の痕跡を隠し易いので、侵入の早期発見にはあまり役に立たないという問題がある。まして、特許文献３に開示された侵入防止用フェンスのように、胴縁の代わりに骨線を使用した構成のものは論外である。
【０００６】
したがって、本発明の目的は、図５、図７に例示した従来技術の支持金具が無用で、しかも施工性の良いボルトレスの構成であり、その上、人の侵入防止用の構造材として安心と信頼感がある強度、剛性を備え、切断したり曲げたりすることが困難な丸パイプ又は角パイプ等の胴縁を使用でき、侵入者が乗り越えたり破ったりして侵入することが至難であり、仮にもフェンスの一部を破って侵入した場合には元通りに修復することが難しく、侵入の痕跡を残し易く、侵入の早期発見に役立つ、侵入防止用フェンスを提供することである。
本発明の次の目的は、菱形金網の上辺部に人の侵入防止に効果的なツイストナックルを備え、また、下辺部にも猫や犬、ネズミ、イタチ、モグラなどの小動物がフェンスの下を潜って侵入することを防ぐツイストナックルを備えて侵入防止効果が大きく、しかも外観形状がシンプルでスマートな意匠を呈する、侵入防止用フェンスを提供することである。
【課題を解決するための手段】
【０００７】
上記従来技術の課題を解決するための手段として、請求項１に記載した発明に係る侵入防止用フェンスは、
線材を菱形に編み込んで作られた菱形金網１１を柵に使用した侵入防止用フェンスにおいて、
菱形金網１１の上辺部に、線材を捻って立ち上がらせ先端を二股形状に開いたツイストナックル１４が形成されており、該ツイストナックル１４の直下位置の左右の菱形網目と分離された菱形網目１１ａがそれぞれ当該菱形金網１１の網面に対して直角な向きに捻られており、前記直角な向きの菱形網目１１ａに胴縁１３が通されており、該胴縁１３の両端部が支柱１２に支持されていることを特徴とする。
【００１０】
請求項２記載の発明は、請求項１に記載した侵入防止用フェンスにおいて、
菱形金網１１の下辺部に、線材を捻って先端を二股形状に開いたツイストナックル１４が地面１５にほぼ接近する長さに形成されており、該ツイストナックル１４の直上位置の左右の菱形網目と分離された菱形網目１１ａがそれぞれ当該菱形金網１１の網面に対して直角な向きに捻られており、前記直角な向きの菱形網目１１ａに胴縁１３が通されており、該胴縁１３の両端部が支柱１２に支持されていることを特徴とする。
【００１１】
請求項３に記載した発明は、請求項１又は２記載の侵入防止用フェンスにおいて、
胴縁１３が丸パイプ１３Ａ又は角パイプ１３Ｂであることを特徴とする。
【００１２】
請求項４に記載した発明は、請求項１又は２記載の侵入防止用フェンスにおいて、
支柱１２の上部であって菱形金網１１の上辺より上方の部分に複数本の有刺鉄線１７を水平方向に取り付けた忍び返し１６が形成されていることを特徴とする。
【発明の効果】
【００１３】
本発明に係る侵入防止用フェンスは、菱形金網１１の上辺部に、線材を捻って先端を二股形状に開いたツイストナックル１４が形成され、該ツイストナックル１４の直下位置の左右の菱形網目と分離された菱形網目１１ａがそれぞれ当該菱形金網１１の網面に対して直角な向きに捻られており、前記直角な向きの菱形網目１１ａに胴縁１３が通されているから、胴縁１３を通す網目の加工を簡単、容易に行うことができる。しかも既往技術の支持金具類は一切無用で、施工性の良いボルトレスの構成であるから、フェンスの設置工事が容易で短工期となる。その上、フェンスの外観形状はシンプルでスマートな意匠を呈する。
【００１４】
本発明で使用する胴縁１３の断面形状及びその大きさは、上記直角な向きの菱形網目１１ａの内法寸法を前提に、そこに内接する大きさを限度として選択でき、鋼製の丸パイプ１３Ａ、或いは角パイプ１３Ｂなどを使用できるから、人の侵入防止用の構造材として安心で充分信頼できる強度、剛性を備えたフェンスを構築して設置できる。即ち、丸パイプ１３Ａや角パイプ１３Ｂは手軽な金属切断機で切ったり曲げたりすることは困難であるから、侵入防止用フェンスとしての構造的安定性と安心感と信頼性、安全性が得られる。
そして、丸パイプ１３Ａや角パイプ１３Ｂは切ったり曲げたりすることが困難であることの反動として、仮に侵入を試みる者が胴縁１３を通した菱形網目１１ａを切断すると、ツイストナックル１４を切り飛ばしてしまうことになり、侵入後に修復しようとしてもツイストナックル１４が存在しない形態となり、元通りにはならないから、侵入の痕跡を一目瞭然に残すことになり、侵入事件の早期発見に役立つ効果を奏する。
【００１５】
勿論、菱形金網１１の上辺部に形成したツイストナックル１４は、他人が当該フェンスを乗り越えようとする場合に必要な、胴縁１３を掴む手がかりの場を制限して、侵入防止に効果をあらしめる。一方、菱形金網１１の下辺部に下向きに形成したツイストナックル１４は、地面１５との隙間を塞ぐので、野良猫や野犬、ネズミ、イタチ、モグラなどの小動物が当該フェンスの下を潜って侵入することを防ぐ効果を奏する。
【発明を実施するための最良の形態】
【００１６】
線材を菱形に編み込んで作られた菱形金網１１を柵に使用する。菱形金網１１の上辺部に、線材を捻って先端を二股形状に開いたツイストナックル１４を形成し、該ツイストナックル１４の直下位置の左右の菱形網目と分離された菱形網目１１ａをそれぞれ当該菱形金網１１の網面に対して直角な向きに捻り、前記直角な向きの菱形網目１１ａに胴縁１３を通し、この胴縁１３の両端部を支柱１２に支持させる。
菱形金網１１の下辺部にもツイストナックル１４を地面１５にほぼ接近する長さに形成し、該ツイストナックル１４の直上位置の左右の菱形網目と分離された菱形網目１１ａをそれぞれ当該菱形金網１１の網面に対して直角な向きに捻り、前記直角な向きの菱形網目１１ａに胴縁１３を通し、該胴縁１３の両端部を支柱１２に支持させる。
前記胴縁１３には鋼製で丈夫な丸パイプ１３Ａ又は角パイプ１３Ｂを使用する。
【実施例１】
【００１７】
以下に、図示した本発明の実施例を説明する。
図１と図２は、本発明に係る侵入防止用フェンスの設置状態を示す。金属線材を菱形に編み込んで作られた菱形金網１１を柵に使用している。菱形金網１１の上辺部および下辺部を支持する胴縁１３は、その両端部が左右の支柱１２、１２に支持されている。地中のコンクリート基礎１０へ固定して垂直に立てた支柱１２の上端部であって菱形金網１１の上辺よりも更に上方の部分１２ａは、忍び返し１６として外側へ約３０°に傾斜され、左右の傾斜部分１２ａの間に、３本（但し、本数はこの限りではない。）の有刺鉄線１７を水平方向に平行に適度な間隔をあけて取り付け、忍び返し１６が形成されている（請求項４に記載した発明）。
【００１８】
菱形金網１１の上辺部及び下辺部には、図３Ｂに拡大して詳示したように、金属線材を捻って立て、先端を二股形状に開いて、いわば有刺鉄線の棘に等しい形態としたツイストナックル１４が網目のピッチで多数密に形成されている。そして、前記ツイストナックル１４の直下位置および直上位置の左右の菱形網目と分離された菱形網目１１ａがそれぞれ、当該菱形金網１１の網面に対して直角な向きに捻られており、これら直角な向きの菱形網目１１ａの中に胴縁１３が通されている。該胴縁１３の両端部は左右の支柱１２、１２間に支持されている（図４も参照＝請求項１記載の発明）。
【００１９】
因みに、菱形金網１１の菱形網目１１ａの大きさは、一辺の内法寸法が５０ｍｍ程度の略正方形とされている。したがって、前記ツイストナックル１４は７０ｍｍ程度の密なピッチで多数並立することになり、侵入者が胴縁１３を掴んでよじ登ろうとする手掛かりの場を制限し、侵入の防止に実効をあらしめる。そして、上記のように菱形網目を直角方向に捻って胴縁１３を通す場合、前記大きさの菱形網目１１ａには、胴縁１３として最大外径が４０ｍｍ程度、少し余裕を考慮しても外径が３４ｍｍ程度の頑丈な鋼製の丸パイプ１３Ａを図４Ａ、Ｂのように通すことができ、その両端部を支柱１２へ図３Ａ、Ｂのように支持させて強固なフェンスを構築し設置することができる。
或いは図４Ｃのように、胴縁１３として、最大外径が一辺４０ｍｍ程度、少し余裕を考慮しても一辺が３５ｍｍ程度の頑丈な鋼製の角パイプ１３Ｂを通して使用することもできる（請求項３に記載した発明）。
【００２０】
胴縁１３の両端部を支柱１２へ支持させる構造は、一例を図３Ａ、Ｂに拡大して示したように、支柱１２の該当位置に、支柱１２を左右方向へ貫通する通しボルト１８とこれにねじ込んだナット１９とにより、支柱１２の左右両側に対称な配置で一対の筒状ブラケット２０が取り付けられる。菱形金網１１の上辺部及び下辺部に配置した上記の胴縁１３は、その両端部を支柱１２の該当する筒状ブラケット２０の孔へ差し込んで接続した後、直径方向に貫通させた止めボルト２１とナット２２で緊結して固定される。菱形金網１１の縦辺は、図３Ｂ、Ｃに例示したように、当該菱形網目１１の網厚Ｓ（図３Ｃ、図４ＢのＳ寸法を参照）を利用してフラットバー２３が網目に通され、該フラットバー２３は、支柱１２の上下方向に複数配置されたクランプ２４により支柱１２に支持されている。
【００２１】
その具体的構造を、図３Ｃに示した。クランプ２４は、支柱１２の外周円形状に沿って二つ割り型に形成すると共に両端部に平坦な重ね合わせ部を形成して成る一対の半割部材２４Ａ、２４Ｂから成る。前記一対の半割部材２４Ａ、２４Ｂで支柱１２の外周を挟み付け、両端部の平坦な重ね合わせ部にて上記のフラットバー２３の前後両面を挟む。場所によっては菱形金網１１の線材も併せて挟み付け、ボルト２５とナット２６を緊結して拘束と支持が行われている。なお、菱形金網１１の中間部分を支持する骨線２８の端部も、前記のクランプ２４により合一に支持される。
【００２２】
本発明の侵入防止用フェンスは、図３Ｂに示したように、菱形金網１１の下辺部にもツイストナックル１４が地面１５にほぼ接近する長さに形成されている。そして、該ツイストナックル１４の直上位置の左右の菱形網目と分離された菱形網目１１ａがそれぞれ当該菱形金網１１の網面に対して直角な向きとなるように捻られ、この直角な向きの菱形網目１１ａに胴縁１３を通して、該胴縁１３の両端部が支柱１２に支持されている（請求項２に記載した発明）。前記胴縁１３の両端部を支柱１２へ支持させる構造は、上記した上辺の胴縁１３の支持構造と同じである。下辺部の下向きのツイストナックル１４が地面１５との間の隙間を全面的に塞ぐので、野良猫や野犬、ネズミ、イタチ、モグラなどの小動物がフェンスの下を潜って侵入することを確実に防止するのである。
【図面の簡単な説明】
【００２３】
【図１】本発明に係る侵入防止用フェンスの設置状態を部分的に示す正面図である。
【図２】図１の側面図である。
【図３】Ａは侵入防止用フェンスの支柱回り構造を拡大して示す平面図、Ｂは同正面図、ＣはＢ図のIII−III線矢視断面図である。
【図４】Ａ、Ｂは菱形金網と胴縁の取り合い関係を示す正面図と側面図、Ｃは胴縁が角パイプである場合の側面図である。
【図５】従来一般の侵入防止用フェンスの設置状態を部分的に示す正面図である。
【図６】図５の側面図である。
【図７】菱形金網と胴縁の取り合い構造を拡大して示す正面図である。
【図８】図７のVIII−VIII線断面図である。
【符号の説明】
【００２４】
１１      菱形金網
１４      ツイストナックル
１１ａ    菱形網目    
１３      胴縁
１２      支柱
１３Ａ    丸パイプ
１３Ｂ    角パイプ
１７      有刺鉄線
１６      忍び返し
【図１】
0003588659.tif 000002
【図２】
0003588659.tif 000003
【図３】
0003588659.tif 000004
【図４】
0003588659.tif 000005
【図５】
0003588659.tif 000006
【図６】
0003588659.tif 000007
【図７】
0003588659.tif 000008
【図８】
0003588659.tif 000009